(57)【要約】      （修正有）【課題】他に電源がない状況においても充電を行うことができる携帯式電子装置の電池充電器を提供する。【解決手段】主に１つのケース３１と、１つの電池エネルギー貯蓄器と、１つの電池充電回路と、１つの電源転換回路と、少なくとも１つの電源入力部３９と、少なくとも１つの電源出力部４１とからなり、該電源入力部３９は一般のソケットに挿入することができるプラグ３９１を有し、又、USBによりコンピューターに接続することができるコンピューター連接線のUSBインターフェースを挿入することができる差込み孔４３を有する。し、コンピューターより電力を得ることにより、充電を行うことができる。【選択図】図２Ａ
0003124659.tif 000002
【実用新案登録請求の範囲】
【請求項１】
主に１つのケース(31)と、１つの電池エネルギー貯蓄器(33)と、１つの電池充電回路(35)と、１つの電源転換回路(37)と、少なくとも１つの電源入力部(39)と、少なくとも１つの電源出力部(41)とを含み、
該ケース(31)は該電池エネルギー貯蓄器(33)、該電池充電回路(35)、該電源転換回路(37)を収納することができ、該電源入力部(39)(39’)及び該電源出力部(41)は該ケース(31)上或いは該ケース(31)内に設置することができ、
該電池エネルギー貯蓄器(33)は該ケース(31)内に設置され、
該電池充電回路(35)は該電池エネルギー貯蓄器(33)に導電性連接され、
該電源入力部(39)は該電池充電回路(35)に導電性連接され、入ってくる電流を該電池エネルギー貯蓄器(33)に流すことにより、該電池エネルギー貯蓄器(33)の充電を行うことができ、
該電源転換回路(37)は該電池エネルギー貯蓄器(33)に導電性連接され、
少なくとも１つの該電源出力部(41)は該電源転換回路(37)に導電性連接され、該電池エネルギー貯蓄器(33)の電池電源から該電源転換回路(37)を経由し、電子装置の充電を行うことができることを特徴とする携帯式電子装置の電池充電器(3)。
【請求項２】
該電源入力部(39)は１つのＡＣ電源用プラグ(391)(或いはソケット)であり、一般の交流電源のソケットに繋ぐことができ、
該電源入力部(39)のＡＣ電源用プラグ(391)より入る交流電流は整流回路により直流電流に変えられた後、該電池充電回路(35)より該電池エネルギー貯蓄器(33)に流れ、充電を行うことができることを特徴とする請求項１記載の携帯式電子装置の電池充電器(3)。
【請求項３】
該電源入力部(39’)は１つの差込み孔(43)でもよく、
１つのＵＳＢ連接線のインターフェースを差込み孔(43)内に挿入し、コンピューターに連接することもでき、コンピューターより電力を得て、該電池エネルギー貯蓄器(33)の充電を行うこともできることを特徴とする請求項１記載の携帯式電子装置の電池充電器(3)。
【請求項４】
該電源出力部(41)は携帯電話用連接線のインターフェース(441)となることができ、該インターフェース(441)は該ケース(31)内に収納できる伸縮式導線でもよいことを特徴とする請求項１記載の携帯式電子装置の電池充電器(3)。
【請求項５】
該電源出力部(41)は電源出力部を該差込み孔(43)に設けてもよく、該差込み孔(43)と小型電子装置連接インターフェース(42)とを接続し、小型電子装置の充電を行うことができることを特徴とする請求項１記載の携帯式電子装置の電池充電器(3)。
【請求項６】
該電池充電器(3)は小型電子装置の連接インターフェース(42)と導電性連結することができ、該小型電子装置は携帯電話(5)、デジタルカメラ、MP3プレーヤー、PDA、医療用携帯式電子装置等であってもよいことができることを特徴とする請求項５記載の携帯式電子装置の電池充電器(3)。
【請求項７】
該電源入力部の差込み孔(43)と該電源出力部(41)の差込み孔(43)とは同一の孔であってもよいことを特徴とする請求項３或いは５記載の携帯式電子装置の電池充電器(3)。
【請求項８】
該電池充電器(3)は表示灯(45)を有してもよく、該表示灯(45)は該ケース(31)上に設置され、該電池充電回路(35)及び(或いは)電源転換回路(37)に電性連接されることを特徴とする請求項１記載の携帯式電子装置の電池充電器(3)。
【請求項９】
該ケース(31)は固定座(301)を有することにより、キーチェーン(30)を設置することもできることを特徴とする請求項１記載の携帯式電子装置の電池充電器(3)。
【請求項１０】
該ケース(31)は造形物のアクセサリー(6)内部に設置してもよいことを特徴とする請求項１記載の携帯式電子装置の電池充電器(3)。
【請求項１１】
該アクセサリー(6)は縫いぐるみ等の造形物であってもよいことを特徴とする請求項１０記載の携帯式電子装置の電池充電器(3)。
【請求項１２】
該アクセサリー(6)上にキーチェーン(61)を設置してもよいことを特徴とする請求項１０記載の携帯式電子装置の電池充電器(3)。
【請求項１３】
該アクセサリー(6)は開閉できる開き口を有することにより、該電池充電器(3)を出し入れすることができることを特徴とする請求項１０記載の携帯式電子装置の電池充電器(3)。
【請求項１４】
該アクセサリー(6)の開閉できる開き口はチャック(62)で開閉することができることを特徴とする請求項１３記載の携帯式電子装置の電池充電器(3)。
【請求項１５】
該アクセサリー(6)の開閉できる開き口は粘着テープで開閉することができることを特徴とする請求項１３記載の携帯式電子装置の電池充電器(3)。
【請求項１６】
該DC電源出力部/DC電源入力部差込み孔(43’)は自動車用電源プラグ(c1)の自動車電源連接線(c)を接続することにより、自動車より電源を得て、電池充電器(3)の充電を行うことができることができることを特徴とする請求項１或いは３記載の携帯式電子装置の電池充電器(3)。
【考案の詳細な説明】
【技術分野】
【０００１】
本考案は一種の携帯式電子装置の電池充電器に係るものであり、特に、エネルギー貯蓄と充電回路を具備し、他に電源がない状況においても、電池エネルギー貯蓄器(33)を電源として携帯式電子装置の充電を行うことができる電池充電器に係るものであり、携帯式電子装置の旅行用電池充電器として適用することもできる。
【背景技術】
【０００２】
現在使用されている携帯電話やデジタルカメラ等の電子装置の充電器はその機種や型番により使用の対象が決められている。
【０００３】
従来の電子装置の充電は図１が示す如くであり、充電器(2)はAC/DC転換器(10)及び充電座(21)を含み、AC/DC転換器(10)はプラグ(11)を有することにより、交流電源より電力を得ることができ、充電を行う時、電子装置の電池(22)を取り外した後、充電座(21)の充電槽内に挿入し、電池(22)の充電を行うことができるが、一般の充電器はＡＣ電源しか利用することができない。
【０００４】
現在、多くの人が外出時、複数の小型電子装置を持ち歩く時代であり、例えば、２機の携帯電話に、デジタルカメラ、ＭＰ３プレーヤーを各１台同時に持ち歩くというようなことがよくあるが、各電子装置にはそれぞれ替えの電池或いは専用の充電器があるものの、それらを全部持ち歩くには不便である。
【０００５】
市場上おいて、一種の化学エネルギーの充電器(図に示していない)が市販されているが、化学反応により充電を行う為、化学反応がなくなれば、充電を行うことができなくなり、捨てなければならない為、環境汚染の問題及びコストが高くなるという問題がある。
【０００６】
上記により従来の充電器は一般のソケットにプラグを挿入し、充電を行う為、交流電源から電源を得て、充電を行うことができるのみであり、交流電源から電源を得ることができない使用者は不便である。又、多すぎる予備の電池や充電器の携帯は使用者にとって不便である。
【考案の開示】
【考案が解決しようとする課題】
【０００７】
本考案の主な目的は他に電源がない状況においても、電池エネルギー貯蓄器(33)を電源として携帯式電子装置の充電を行うことができる一種の携帯式電子装置の電池充電器を提供し、使用の便利性を向上させることである。
【０００８】
本考案のもう１つの目的は直流電源、或いは、交流電源により充電器自身を充電することにより、繰り返し使用することができる一種の携帯式電子装置の電池充電器を提供することである。
【０００９】
本考案の又もう１つの目的はキーチェーン(61)を設置したり、或いは、縫いぐるみ等の造形物、或いは、吊り下げアクセサリー等に設置したりすることにより、携帯することができる一種の携帯式電子装置の電池充電器を提供することである。
【課題を解決するための手段】
【００１０】
以下に添付図面を参照して本考案のある好適な実施の形態を詳細に説明するが、それらの構成は本考案の構造の絶対的な制限にならない。
【考案を実施するための最良の形態】
【００１１】
図２Ａと２Ｂは本考案の携帯式電子装置の電池充電器(3)の実施例の立体外観図であり、主に１つのケース(31)と、１つの電池エネルギー貯蓄器(33)と、１つの電池充電回路(35)と、１つの電源転換回路(37)と、少なくとも１つの電源入力部(39)(39’)と、少なくとも１つの電源出力部(41)とからなり、
該ケース(31)は該電池エネルギー貯蓄器(33)、該電池充電回路(35)、該電源転換回路(37)を収納することができ、該電源入力部(39)(39’)及び該電源出力部(41)は別々に該ケース(31)上或いは該ケース(31)内に設置される。
【００１２】
図４は本考案の携帯式電子装置の電池充電器(3)の１つの回路実施例図であり、
該電池充電回路(35)は該電源入力部(39’)及び該電池エネルギー貯蓄器(33)に導電性連接し、
該電源転換回路(37)は該電池エネルギー貯蓄器(33)及び該電源出力部(41)に導電性連接し、
図３が示す如く、１つの外部電源より充電を行う時、該電源入力部(39’)から該電池充電回路(35)を経由し、該電池エネルギー貯蓄器(33)で充電を行う。
【００１３】
又、同時に該電源出力部(41)より小型電子装置の電池に充電を行うことができる。
【００１４】
第２Ａ図の実施例図中、該電源入力部(39)は１つのＡＣ電源用プラグ(391)(或いはソケット)であり、一般の交流電源のソケットに繋ぐことができる。
【００１５】
該ＡＣ電源用プラグ(391)は該ケース(31)内に収納できる設計でもよく、或いは、該ケース(31)周辺に設置する設計でもよい。
【００１６】
該電源入力部(39)のＡＣ電源用プラグ(391)より入る交流電流は整流回路により直流電流に変えられた後、該電池充電回路(35)より該電池エネルギー貯蓄器(33)に流れ、充電を行うことができる。
【００１７】
本考案の充電回路は内部に１つの過負荷保護回路を設置することもでき、該電池エネルギー貯蓄器(33)が充電完了時、自動的に回路を切断することにより、安全設計を具備させることができる。
【００１８】
又、第２Ｂ図の実施例図中、該電源入力部(39’)は１つの差込み孔(43)でもよく、１つのＵＳＢ連接線のインターフェースを差込み孔(43)内に挿入し、コンピューターに連接することもでき、コンピューターより電力を得て、該電池エネルギー貯蓄器(33)の充電を行うこともでき、且つ、該電源出力部(41)より小型電子装置の電池の充電を行うこともできる。
【００１９】
又、外部電源のない環境下では電池充電器(3)の電池エネルギー貯蓄器(33)を電源とし、小型電子装置の充電を行うことができる。
【００２０】
図５が示す如く、該電源出力部(41)は携帯電話用連接線のインターフェース(441)となることができ、該インターフェース(441)は該ケース(31)内に収納できる伸縮式導線でもよい。
【００２１】
もう１つの実施例中、電源出力部を該差込み孔(43)に設けてもよく、該差込み孔(43)と小型電子装置(例：携帯電話(5)、デジタルカメラ、MP3プレーヤー、PDA、医療用携帯式電子装置(血圧計等)等)連接インターフェース(42)により接続し、小型電子装置の充電を行うことができる。
【００２２】
該電池充電器(3)は表示灯(45)を有してもよく、該表示灯(45)は該ケース(31)上に設置され、該電池充電回路(35)及び(或いは)電源転換回路(37)に導電性連接される。
該電池充電器(3)が充電時、或いは電池エネルギー貯蓄器(33)が小型電子装置の電池の充電を行う時、該表示灯(45)が点灯することにより、充電中であることを表示することができる。
【００２３】
該ケース(31)は固定座(301)を有することにより、キーチェーン(30)を設置することもでき、使用者は容易に携帯することができる。
【００２４】
又、縫いぐるみ等の造形物のアクセサリー(6)内部に該ケース(31)を設置してもよく(図6)、又、該アクセサリー(6)上にキーチェーン(61)を設置してもよい。
【００２５】
又、該アクセサリー(6)は開閉できる開き口を有してもよく、チャック(62)、粘着テープ、或いはその他の方法で開閉することができ、その中に電池充電器(3)を設置することができる。
【００２６】
図７が示す如く、DC電源出力部/DC電源入力部差込み孔(43’)はDC電源出力部及びDC電源入力部を設けることができ、前述の如く、USBコネクター(a1)のコンピューター連接線(a)をDC電源出力部/DC電源入力部差込み孔(43’)に接続し、外部より直流電源を得ることができ、又、自動車用電源プラグ(c1)の自動車電源連接線(c)を接続することにより、自動車より電源を得て、電池充電器(3)の充電を行うことができ、又、DC電源出力部/DC電源入力部差込み孔(43’)にケイタイ電話…等小型電子装置連接線(b)を繋げ、小型電子装置に繋げることにより、電源出力部として使用することもできる。
【００２７】
図２Ａ及び図２Ｂの電源出力部(41)はDC電源出力部/DC電源入力部差込み孔(43’)と同様のDC電源出力部/DC電源入力部差込み孔(47)でもよく、１つのDC電源出力部/DC電源入力部差込み孔(43’)(或いはDC電源出力部/DC電源入力部差込み孔(47))から外部電源を得ると同時にDC電源出力部/DC電源入力部差込み孔(47)(或いはDC電源出力部/DC電源入力部差込み孔(43’))より小型電子装置の充電を行うことができる。
本考案のメリット：
【００２８】
１．該電池充電器(3)は小型電子装置の充電を行うことができ、又、外部電源のない環境下では電池充電器(3)の電池エネルギー貯蓄器(33)を電源とし、小型電子装置の充電を行うことができる。
【００２９】
２．該電池充電器(3)は多種の実施例を行うことができ、２つの電源入力部を提供することができ、１つのＡＣ電源用プラグ(或いはソケット)及び挿し込み孔を含み、一般の交流電源のソケット或いは、コンピューターのUSBインターフェースに接続し、交流或いは直流電源より電源を得ることにより、充電を行うことができ、反覆使用の目的を達成することができ、或いは、挿し込み孔のみを設置し、直流電源のみを使用することもできる。
【００３０】
３．該電源出力部(41)は携帯電話用連接線のインターフェース(441)となることができ、該インターフェース(441)は該ケース(31)内に収納できる伸縮式導線でもよい。
もう１つの実施例中、電源出力部を該差込み孔(43)に設けてもよく、該差込み孔(43)と小型電子装置(例：携帯電話(5)、デジタルカメラ、MP3プレーヤー、PDA、医療用携帯式電子装置(血圧計等)等)の連接インターフェース(42)により接続し、小型電子装置の充電を行うことができる。
【００３１】
４．該ケース(31)は固定座(301)を有することにより、キーチェーン(30)を設置することもでき、使用者は容易に携帯することができる。
【００３２】
５．縫いぐるみ等の造形物のアクセサリー(6)内部に該ケース(31)を設置してもよく。
【図面の簡単な説明】
【００３３】
【図１】従来の電子装置の充電器を示す組み合わせ構造図である。
【図２Ａ】本考案の電子装置の充電器(３)の実施例の立体図である。
【図２Ｂ】本考案の電子装置の充電器(３)のもう１つの実施例の立体図である。
【図３】本考案の電子装置の充電器(３)の回路ブロック実施例図である。
【図４】本考案の電子装置の充電器(３)の回路実施例図である。
【図５】本考案の電子装置の充電器(３)は携帯電話(5)の連接インターフェース        (42)に接続し、携帯電話(5)の充電を行うことができることを示す図である。
【図６】本考案の電子装置の充電器(３)は外部に縫いぐるみ等の造形物のアクセサリー(6)を設置することができることを示す図である。
【図７】本考案の電子装置の充電器(３)のもう１つの実施例であり、各種の連接線を使用することができることを示す図である。
【符号の説明】
【００３４】
従来
10      AC/DC転換器
11      プラグ
2       充電器
21      充電座
22      電池
本考案
3       充電器
30      キーチェーン
301     固定座
31      ケース
33      電池エネルギー貯蓄器
35      電池充電回路
37      電源転換回路
39, 39’電源入力部
391     ＡＣ電源用プラグ
41      電源出力部
42      連接インターフェース
43      差込み孔
43’,47 DC電源出力部/DC電源入力部  差込み孔
441     インターフェース
442     連接インターフェース
45      表示灯
5       ケイタイ電話
6       アクセサリー
61      キーチェーン
62      チャック
a       コンピューター連接線
a1      USBコネクター
a2      USBインターフェース
b       ケイタイ電話…等小型電子装置連接線
c       自動車電源連接線
c1      自動車用電源プラグ
【図１】
0003124659.tif 000003
【図２Ａ】
0003124659.tif 000004
【図２Ｂ】
0003124659.tif 000005
【図３】
0003124659.tif 000006
【図４】
0003124659.tif 000007
【図５】
0003124659.tif 000008
【図６】
0003124659.tif 000009
【図７】
0003124659.tif 000010